(57)【要約】【課題】異なるフィールドのラインを同一ライン上に交互に表示させるときの自由度を高める。【解決手段】信号処理部６１により所定の処理が施された映像信号が、判別データコード挿入部６２に供給される。判別データコード挿入部６２は、液晶表示装置５４のライン数に合わせるために、奇数フィールドと偶数フィールドのラインを同一のライン上に表示させるとき、奇数フィールドで表示を開始させるラインの１Ｈ前のラインのブランキング期間と、偶数フィールドで表示を開始させるラインの１Ｈ前のラインのブランキング期間に、それぞれ、次のラインが表示開始ラインであることを示すデータコードを挿入する。液晶駆動装置５３は、このデータコードを認識することで、表示開始ラインを認識する。本発明は、映像を表示する液晶ディスプレイなどに適用できる。【選択図】図８
2008076742.tif 000002
【特許請求の範囲】
【請求項１】
入力された映像信号にデータコードを挿入する挿入手段を備え、
前記挿入手段は、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する
画像処理装置。
【請求項２】
前記挿入手段は、さらに、間引くラインの１Ｈ前のラインのブランキング期間に前記データコードを挿入する
請求項１に記載の画像処理装置。
【請求項３】
表示を開始させるラインの１Ｈ前のラインのブランキング期間に挿入される前記データコードと、間引くラインの１Ｈ前のラインのブランキング期間に挿入される前記データコードは、異なる値とされる
請求項２に記載の画像処理装置。
【請求項４】
入力された映像信号にデータコードを挿入する挿入ステップを含み、
前記挿入ステップは、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する
画像処理方法。
【請求項５】
入力された映像信号にデータコードを挿入する挿入ステップを含み、
前記挿入ステップは、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する
処理をコンピュータに実行させるプログラム。
【請求項６】
入力された映像信号にデータコードが挿入されているか否かを判別する判別手段と、
前記判別手段により前記データコードが挿入されていると判別された場合、前記映像信号に基づく映像を表示させるためのタイミング信号を生成する生成手段と
を備え、
前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている
液晶駆動装置。
【請求項７】
前記データコードは、間引くラインの１Ｈ前のラインのブランキング期間にも挿入されている
請求項６に記載の液晶駆動装置。
【請求項８】
表示を開始させるラインの１Ｈ前のラインのブランキング期間に挿入されている前記データコードと、間引くラインの１Ｈ前のラインのブランキング期間に挿入されている前記データコードは、異なる値とされている
請求項７に記載の液晶駆動装置。
【請求項９】
入力された映像信号にデータコードが挿入されているか否かを判別する判別ステップと、
前記判別ステップの処理で前記データコードが挿入されていると判別された場合、前記映像信号に基づく映像を表示させるためのタイミング信号を生成する生成ステップと
を含み、
前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている
液晶駆動方法。
【請求項１０】
入力された映像信号にデータコードが挿入されているか否かを判別する判別ステップと、
前記判別ステップの処理で前記データコードが挿入されていると判別された場合、前記映像信号に基づく映像を表示させるためのタイミング信号を生成する生成ステップと
を含み、
前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている
処理をコンピュータに実行させるプログラム。
【発明の詳細な説明】
【技術分野】
【０００１】
本発明は画像処理装置および方法、液晶駆動装置および方法、並びにプログラムに関し、特に、例えばアスペクト比やライン数が異なる映像を表示装置で表示させるときに、各種設定を容易にできるようにし、表示を正しく行えるようにする画像処理装置および方法、液晶駆動装置および方法、並びにプログラムに関する。
【背景技術】
【０００２】
近年、ブラウン管などの表示装置にかわり、液晶表示装置が普及しつつある。図１は、液晶表示装置を含むシステムの一例の構成を示す図である。図１に示したシステムは、記録装置１１、画像処理装置１２、液晶駆動装置１３、液晶表示装置１４、および、マイクロコンピュータ１５を含む構成とされている。また、画像処理装置１２は、信号処理部２１を含む構成とされ、液晶駆動装置１３は、設定処理部２２を含む構成とされる。
【０００３】
記録装置１１は、映像信号を記録し、その記録している映像信号を画像処理装置１２に供給する。画像処理装置１２は、記録装置１１から供給された映像信号を信号処理部２１で処理し、液晶駆動装置１３に供給する。液晶駆動装置１３の設定処理部２２には、マイクロコンピュータ１５から設定情報も供給される。
【０００４】
液晶駆動装置１３の設定処理部２２は、ラインの組み合わせの設定、ＰＡＬ（Phase Alternating Line）方式に準拠した映像信号を表示するための設定、ワイド画面の映像信号を表示するための設定、タイミングの生成などの処理を、マイクロコンピュータ１５から供給される設定情報に基づいて行う。また、それらの設定に基づく処理が行われることにより、液晶駆動装置１３から液晶表示装置１４に映像信号が供給され、液晶表示装置１４において映像が映し出される。
【０００５】
ここで、マイクロコンピュータ１５から供給される設定情報と、その設定情報に基づいて設定処理部２２により実行される処理について説明を加える。
【０００６】
液晶表示装置１４の水平方向のライン数が２４０である場合を例に挙げて説明する。また記録装置１１から供給される映像信号が、ＮＴＳＣ（National Television System Standard Committee）方式に準拠した映像信号である場合を例に挙げて説明する。
【０００７】
記録装置１１からＮＴＳＣ方式に準拠した映像信号が画像処理装置１２を介して液晶駆動装置１３に入力される。液晶駆動装置１３は、図２、図３に示すように、まず供給された映像信号の奇数フィールドの２４０ライン（Line）が液晶表示装置１４に表示されるように制御し、次に偶数フィールド２４０ラインが表示されるように制御する。
【０００８】
図２に示すように、ＮＴＳＣ方式ではライン数が５２５本であるため、その映像信号は、ライン＃１乃至＃５２５のライン毎の信号から構成される。このライン＃１乃至＃５２５のうち、ライン＃１乃至＃２６３．５までのラインが奇数フィールド（ODD Field）とされ、ライン＃２６３．５乃至＃５２５までのラインが偶数フィールド(EVEN Field)とされる。
【０００９】
映像信号としては５２５本分の信号が１画面分の信号として供給されるが、液晶表示装置１４は２４０ラインから構成されるため、また、上記したように、奇数フィールドと偶数フィールドが同一ライン上に表示されるため、４８０（＝２４０×２）ラインで１画面が構成されることになり、供給される全ての映像信号が用いられて１画面が構成されるわけではない。液晶表示装置１４で表示させる映像に用いられるのは、奇数フィールドとしてライン＃２２乃至＃２６１の２４０本分の信号であり、偶数フィールドとしてライン＃２８５乃至＃５２４の２４０本分の信号である。
【００１０】
図３に示すように、奇数フィールドを構成するライン＃２２が液晶表示装置１４のライン１（Line1）に表示される。ライン１には、そのあと、偶数フィールドを構成するライン＃２８４が表示される。このように、ライン１には、奇数フィールドを構成するライン＃２２と偶数フィールドを構成するライン＃２８４が表示される。液晶表示装置１４のライン２乃至２４０も同様に、奇数フィールドを構成するラインと偶数フィールドを構成するラインが交互に表示される。
【００１１】
このように液晶表示装置１４のライン１に表示されるのは映像信号のライン＃２２とライン＃２８５である。このようなライン１に表示されるラインが、正しい組み合わせ通りで表示されればよいが、例えば、図４に示すように、液晶表示装置１４のライン１に、映像信号のライン＃２３とライン＃２８５といった誤った組み合わせで表示されてしまった場合、にじみが生じるなど、液晶表示装置１４に表示される映像の画質が低下してしまう。
【００１２】
換言すれば、奇数フィールドと偶数フィールドの表示開始ラインが正しい組み合わせと異なってしまったような場合、その開始ライン以降のラインも異なる組み合わせのラインで表示されることになり、液晶表示装置１４に表示される映像（画像）全体がゆがんだり、にじみがでてしまったりと、画質が低下したものとなってしまう。
【００１３】
図１に示した従来のシステムにおいては、液晶表示装置１４の同一ラインに表示される奇数フィールドと偶数フィールドの所定のラインの組み合わせを正しい組み合わせとするために、液晶駆動装置１３に表示開始ラインの固定値を、例えば、図５に示すように２モード持たせ、これをマイクロコンピュータ１５からの通信により設定している。
【００１４】
図５を参照するに、モード１は、ＮＴＳＣ方式に準拠した映像信号を処理するときには、奇数フィールドのライン＃２３を開始ラインとし、偶数フィールドのライン＃２８５を開始ラインとするモードである。またモード１は、ＰＡＬ方式に準拠した映像信号を処理するときには、奇数フィールドのライン＃２３を開始ラインとし、偶数フィールドのライン＃３３６を開始ラインとするモードである。
【００１５】
モード２は、ＮＴＳＣ方式に準拠した映像信号を処理するときには、奇数フィールドのライン＃２２を開始ラインとし、偶数フィールドのライン＃２８５を開始ラインとするモードである。またモード２は、ＰＡＬ方式に準拠した映像信号を処理するときには、奇数フィールドのライン＃２２を開始ラインとし、偶数フィールドのライン＃３３６を開始ラインとするモードである。
【００１６】
奇数フィールドと偶数フィールドの所定のラインを、液晶表示装置１４の同一のラインに表示させる他に、ラインを間引くという処理が行われることがある。
【００１７】
例えば、ＰＡＬ方式の映像やワイド画面の映像を液晶表示装置１４に表示させるために、元の映像から所定のラインを間引いて少ないライン数にするといった処理が行われることもある。
【００１８】
例えば、液晶表示装置１４の水平方向のライン数が２４０で、記録装置１１から供給される映像信号が、ＰＡＬ方式に準拠した映像信号である場合、画像処理装置１２から液晶駆動装置１３に２８８ラインで構成される映像信号が入力され、液晶駆動装置１３にて固定のラインが間引かれ、２４０ラインの映像信号に変換される。
【００１９】
また、アスペクト比４：３の液晶表示装置１４にワイド画面（１６：９表示）を表示するときで、ＮＴＳＣ方式の場合には、画像処理装置１２から液晶駆動装置１３に２４０ラインで入力され、液晶駆動装置１３にて固定のラインが間引かれてワイド画面の映像に変換されている。
【００２０】
各々の間引きラインは、液晶駆動装置１３で固定値となっており、例えば、図６に示すようなデルタ配列の液晶表示装置１４に表示するような場合には、画像処理装置１２で液晶駆動装置１３にて間引かれるラインを考慮して、ラインの画素配列をずらす処理も行われている。
【００２１】
すなわち、画像処理装置１２から液晶駆動装置１３に供給される映像信号が、図７の上側の図のように間引きなしの映像信号である場合には、ラインの画素配列をずらす処理を行う必要は無いが、図７の下側の図のように間引き有りの映像信号である場合には、ラインの画素配列をずらす処理を行う必要がある。
【００２２】
このような処理は、液晶駆動装置１３で間引くラインに対応しているラインに対して行われる必要があるため、画像処理装置１２にも液晶駆動装置１３に対応した固定値を持たせ、ラインの画素配列ずらしを行うことにより行われている。またこのような設定は、画像処理装置１２と液晶駆動装置１３に各々間引きを行う設定をマイクロコンピュータ１５からの通信により行われている。
【００２３】
このようにマイクロコンピュータ１５から液晶駆動装置１３に設定情報を提供し、その設定情報に応じて処理がなされることに関しては、例えば、特許文献１乃至３に記載がある。
【００２４】
【特許文献１】特開２００５−２６０６５１号公報
【００２５】
【特許文献２】特開２００３−３６０５６号公報
【００２６】
【特許文献３】特開平９−５５９１７号公報
【発明の開示】
【発明が解決しようとする課題】
【００２７】
上記したような開始ラインの組み合わせは、記録装置１１毎（記録装置１１が扱う記録媒体毎）に異なるため、異なった記録装置１１を搭載したシステムで、記録装置１１に記録された映像信号を表示する場合、設定されている組み合わせとは違った組み合わせとなってしまい、正しく表示が行われない可能性があった。よって、制御開発時に、異なる記録装置１１毎の組み合わせにあったそれぞれの設定を、各々の表示モードで液晶駆動装置１３に設定できるように構成しておかなければならず、制御の開発効率が悪くなってしまっていた。
【００２８】
また、記録装置１１毎に決まった組み合わせとなってしまうため、汎用性が低くなってしまった。例えば、図５を参照して説明したように、水平開始位置が２モード固定のため、それ以外の開始位置には対応ができないため、汎用性が低くなってしまった。
【００２９】
また、例えば、ワイド画面の映像を液晶表示装置１４に表示させるために、元のワイド画面の映像から、所定のラインを間引いて少ないライン数にするといった処理が行われるが、このようなラインの間引きに関しては特許文献３に記載があるように、そして特許文献３も含め、従来のラインの間引きは、間引かれるラインが液晶駆動装置１３で固定値とされており、その固定値以外の間引きラインに対応できなかった。
【００３０】
また、例えば、他の間引きラインに対応するためには、画像処理装置１２から液晶駆動装置１３に入力される映像信号に対して画像処理装置１２にて液晶駆動装置１３で間引かれるラインを考慮して位相をずらす処理を行わなければならなかった。
【００３１】
特許文献１においても、液晶駆動装置１３への設定を行う必要があり、液晶駆動装置１３に固定値を持つことは必要になってしまう。また特許文献２においても、奇数フィールドのラインと偶数フィールドのラインの組み合わせ開始ラインの判別は行っておらず、上記したような奇数フィールドと偶数フィールドの表示開始ラインが異なってしまうような不都合が発生する可能性があった。
【００３２】
本発明は、このような状況に鑑みてなされたものであり、表示装置に合わせてライン数を変化させるような場合や、ラインを間引きような場合に、汎用性を高めた処理をすることができるようにするものである。
【課題を解決するための手段】
【００３３】
本発明の一側面の画像処理装置は、入力された映像信号にデータコードを挿入する挿入手段を備え、前記挿入手段は、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する。
【００３４】
前記挿入手段は、さらに、間引くラインの１Ｈ前のラインのブランキング期間に前記データコードを挿入するようにすることができる。
【００３５】
表示を開始させるラインの１Ｈ前のラインのブランキング期間に挿入される前記データコードと、間引くラインの１Ｈ前のラインのブランキング期間に挿入される前記データコードは、異なる値とされるようにすることができる。
【００３６】
本発明の一側面の画像処理方法は、入力された映像信号にデータコードを挿入する挿入ステップを含み、前記挿入ステップは、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する。
【００３７】
本発明の一側面のプログラムは、入力された映像信号にデータコードを挿入する挿入ステップを含み、前記挿入ステップは、奇数フィールドで表示を開始させるラインの１Ｈ前のラインのブランキング期間と、偶数フィールドで表示を開始させるラインの１Ｈ前のラインのブランキング期間に前記データコードをそれぞれ挿入する処理をコンピュータに実行させる。
【００３８】
本発明の一側面の画像処理装置および方法、並びにプログラムにおいては、表示装置に表示を開始させるラインを判別できるようにするためのデータコードが、表示を開始させるラインの１Ｈ前のラインに挿入される。
【００３９】
本発明の一側面の液晶駆動装置は、入力された映像信号にデータコードが挿入されているか否かを判別する判別手段と、前記判別手段により前記データコードが挿入されていると判別された場合、前記映像信号に基づく映像を表示させるためのタイミング信号を生成する生成手段とを備え、前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている。
【００４０】
前記データコードは、間引くラインの１Ｈ前のラインのブランキング期間にも挿入されているようにすることができる。
【００４１】
表示を開始させるラインの１Ｈ前のラインのブランキング期間に挿入されている前記データコードと、間引くラインの１Ｈ前のラインのブランキング期間に挿入されている前記データコードは、異なる値とされているようにすることができる。
【００４２】
本発明の一側面の液晶駆動方法は、入力された映像信号にデータコードが挿入されているか否かを判別する判別ステップと、前記判別ステップの処理で前記データコードが挿入されていると判別された場合、前記映像信号に基づく映像を表示させるためのタイミング信号を生成する生成ステップとを含み、前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている。
【００４３】
本発明の一側面のプログラムは、入力された映像信号にデータコードが挿入されているか否かを判別する判別ステップと、前記判別ステップの処理で前記データコードが挿入されていると判別された場合、前記映像信号に基づく映像を表示させるためのタイミング信号を生成する生成ステップとを含み、前記データコードは、奇数フィールドで表示を開始させるラインの１Ｈ前のラインのブランキング期間と、偶数フィールドで表示を開始させるラインの１Ｈ前のラインのブランキング期間にそれぞれ挿入されている処理をコンピュータに実行させる。
【００４４】
本発明の一側面の液晶駆動装置および方法、並びにプログラムにおいては、表示装置に表示を開始させるラインを判別できるようにするために、表示を開始させるラインの１Ｈ前のラインに挿入されているデータコードが検出され、検出されたときには、表示を開始させるラインからの表示が正常に行われるように、タイミング信号などが生成される。
【発明の効果】
【００４５】
本発明の一側面によれば、供給される映像信号に基づく映像を構成する奇数フィールドのラインとと偶数フィールドのラインを、映像を表示する装置の同一のラインに表示する際、奇数フィールドの表示を開始するラインと、偶数フィールドの表示を開始するラインのそれぞれのラインを、任意に指定することが可能となる。
【００４６】
本発明の一側面によれば、供給される映像信号に基づく映像を構成するライン数を減少させるためにラインを間引くときに、その間引くラインを任意に指定することが可能となる。
【発明を実施するための最良の形態】
【００４７】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４８】
本発明の一側面の画像処理装置（例えば、図８の画像処理装置５２）は、入力された映像信号にデータコードを挿入する挿入手段（例えば、図８の判別データコード挿入部６２）を備える。
【００４９】
本発明の一側面の液晶駆動装置（例えば、図８の液晶駆動装置５３）は、入力された映像信号にデータコードが挿入されているか否かを判別する判別手段（例えば、図８の判別データコード判別部６３）と、前記判別手段により前記データコードが挿入されていると判別された場合、前記映像信号に基づく映像を表示させるためのタイミング信号を生成する生成手段（例えば、図８のタイミング生成部６４）とを備える。
【００５０】
以下に、本発明の実施の形態について図面を参照して説明する。
【００５１】
［システムの構成］
図８は、本発明を適用したシステムの一実施の形態の構成を示す図である。図８に示したシステムは、記録装置５１、画像処理装置５２、液晶駆動装置５３、液晶表示装置５４、および、マイクロコンピュータ５５を含む構成とされている。また、画像処理装置５２は、信号処理部６１と判別データコード挿入部６２を含む構成とされ、液晶駆動装置５３は、判別データコード判別部６３とタイミング生成部６４を含む構成とされる。
【００５２】
記録装置５１は、映像信号を記録し、その記録している映像信号を画像処理装置５２に供給する。なおここでは、記録装置５１から画像処理装置５２に映像信号が供給されるとして説明を続けるが、記録装置５１が記録している映像信号のみでなく、チューナなどを介して入力された映像信号や、ネットワークなどを介して入力された映像信号などでも、本発明を適用することは可能である。
【００５３】
画像処理装置５２は、記録装置５１から供給された映像信号を信号処理部６１で処理する。判別データコード挿入部６２は、信号処理部６１で処理された映像信号に判別データコード（後述）を挿入し、または挿入せずに液晶駆動装置５３に供給する。
【００５４】
液晶駆動装置５３の判別データコード判別部６３は、供給された映像信号に含まれる判別データコードを認識し、必要に応じた処理を行う。液晶表示装置５４には、マイクロコンピュータ５５からの指示も供給される。マイクロコンピュータ５５からの指示は、タイミング生成部６４に供給される。タイミング生成部６４は、マイクロコンピュータ５５からの指示と判別データコード判別部６３からの指示に基づき、タイミング、例えば、垂直同期信号などを発生する。
【００５５】
次に、判別データコード挿入部６２により映像信号に挿入される判別データコードについて説明を加える。
【００５６】
図２乃至図７を参照して説明したように、液晶表示装置５４のライン数が２４０本であり、記録装置５１から供給される映像信号がＮＴＳＣ方式に準拠し、５２５本分の映像信号が供給される場合、奇数フィールドの所定の１ラインと偶数フィールドの所定の１ラインが、液晶表示装置５４の所定の１ライン上に交互に表示される。しかしながら、奇数フィールドの表示開始ラインと偶数フィールドの表示開始ラインの組み合わせが正しくないと（図４を参照して説明したような状態であると）、映像の画質が低下してしまう。
【００５７】
そこで、表示開始ラインのデータを判別データコードとして用いる。図９に示すように、画像処理装置５２の判別データコード挿入部６２は、記録装置５１からの映像信号に対して表示開始ラインより前のラインの水平ブランキング期間に開始位置を示す判別データコードを、奇数フィールド、偶数フィールドにそれぞれ挿入する。
【００５８】
判別データコードが挿入された映像信号が液晶駆動装置５３に入力され、液晶駆動装置５３にて、この判別データコードを認識することにより、各々のフィールドの表示開始ラインが判別される。液晶駆動装置５３は、各フィールドの表示開始ラインを判別すると、その判別した表示開始ラインから表示するタイミングでタイミング信号を液晶表示装置５３に出力する。
【００５９】
すなわち、液晶駆動装置５３の判別データコード判別部６３は、映像信号のブランキング期間に、判別データコードが挿入されていると判断すると、タイミング生成部６４にその判別した表示開始ライン（判別データコードが挿入されているラインの次のライン）から表示するタイミングでタイミング信号を液晶表示装置５３に出力するように指示を出す。
【００６０】
このように、映像信号に対して表示開始ラインより前のラインの水平ブランキング期間に表示の開始位置を判別する判別データコードを奇数フィールド、偶数フィールドにそれぞれ挿入することにより、液晶駆動装置５３は、記録装置５１毎のラインの組み合わせを考慮する必要なく、液晶表示装置５４にタイミング信号を出力することができるようになる。また、表示開始ラインもモードで固定されることなく、液晶駆動装置５３に入力される映像信号の表示開始ラインを判別すればよいため、表示開始ラインがずれても対応することが可能となる。
【００６１】
さらに具体例を挙げて説明する。記録装置５１がビデオテープレコーダであり、そのビデオテープレコーダにセットされたビデオテープに記録された映像信号が、画像処理装置５２に入力される。そして、画像処理装置５２の信号処理部６１による信号処理が施され、液晶駆動装置５２に出力される際にビデオテープから入力された映像信号のラインの組み合わせに合う表示開始ラインの１Ｈ前に判別データコードが、判別データコード挿入部６２により、各フィールドに挿入される。
【００６２】
判別データコードとビデオテープからの映像信号の表示開始ラインとの関係の一例を示す。
判別データコードを挿入するライン
奇数フィールド：２２ライン、  偶数フィールド：２８４ライン
映像信号の表示開始ライン
奇数フィールド：２３ライン、  偶数フィールド：２８５ライン
【００６３】
このように、表示開始ラインが奇数フィールド２３ラインの場合、その１Ｈ前の２２ラインに、判別データコードが挿入される。同じように、表示開始ラインが偶数フィールド２８５ラインの場合、その１Ｈ前の２８４ラインに、判別データコードが挿入される。
【００６４】
液晶駆動装置５３の判別データコード判別部６３は、奇数フィールドの２２ライン目に、判別データコードが挿入されていることを認識すると、その１Ｈ後のラインが表示開始ラインであることを認識する。そして、その認識結果をもとに、タイミング生成部６４によりタイミング信号が液晶表示装置５４に出力され、例えば２４０ラインのパネルの先頭ラインに奇数フィールドの２３ラインが表示される。
【００６５】
同様に、液晶駆動装置５３の判別データコード判別部６３は、偶数フィールドの２８４ライン目に、判別データコードが挿入されていることを認識すると、その１Ｈ後のラインが表示開始ラインであることを認識する。そして、その認識結果をもとに、タイミング生成部６４によりタイミング信号が液晶表示装置５４に出力され、例えば２４０ラインのパネルの先頭ラインに偶数フィールドの２８５ラインが表示される。
【００６６】
記録装置５１がメモリーカードなどの記録媒体を扱う装置であった場合、そのメモリーカードから読み出される映像信号の表示開始ラインの組み合わせは、奇数フィールドが２２ラインであり、偶数フィールドが２８５ラインとなる。それぞれの表示開始ラインの１Ｈ前の、２１ラインと２８４ラインに、判別データコード挿入部６２は、それぞれ判別データコードを挿入し、液晶駆動装置５３に出力する。液晶駆動装置５３は、上記したビデオテープからの映像信号のときと同様に、判別データコードが挿入されているラインから表示開始ラインを判別し、液晶表示装置５４にタイミング信号を出力する。
【００６７】
このように、画像処理装置５２側で表示開始ラインに関する判別データコードを挿入することで、液晶駆動装置５３側では、その判別データコードが挿入されているか否かを判別するだけで、表示開始ラインを認識することが可能となる。よって、液晶駆動装置５３に予め表示開始ラインに関するモードを設定しておくなどしなくて良いため、モードに依存しない処理を実行させることが可能となる。例えば、表示開始ラインを任意に変更することが可能となる。
【００６８】
また、複数の表示開始ラインの組み合わせに対応することが可能となるので、記録装置１１によらず単一的な処理を行うことが可能となり、所定の記録媒体１１を他の記録媒体１１に代えたようなシステムであっても、所定の記録媒体１１のときに用いられていた液晶駆動装置５３の処理を変更しなくても適切な処理を行うことが可能となる。よって、汎用性や拡張性を高めることが可能となる。
【００６９】
判別データコードとして、表示開始ライン以外のデータも含ませるようにしても良い。
【００７０】
例えば、間引きに関するデータを判別データコードに含ませるようにしても良い。例えば、図２乃至図７を参照して説明したように、ＰＡＬ方式に準拠した映像信号やワイド画面の映像信号を処理するときにはラインの間引きという処理が行われた。従来、間引きラインは液晶駆動装置５３で固定値とされていた。また、画像処理装置５２と液晶駆動装置５３に各々間引きを行う設定が、マイクロコンピュータ５５からの通信により設定されていた。
【００７１】
本実施の形態として、判別データコードに、ラインの間引きを行うか否か、行う場合どのラインを間引くかなどのデータを含ませる。このように、ラインの間引きに関するデータを判別データコードとすることで、さまざまな値を設定することが可能となり、従来の液晶表示装置５３で固定値とされていた場合に比べ、拡張性を持たせることが可能となる。また、判別データコードとすることで、マイクロコンピュータ５５から指示を与える必要が無くなる。
【００７２】
具体的には、画像処理装置５２のみで間引き処理に関する設定を行い（従来、液晶駆動装置５３で行われていた間引きの処理の設定を行わずに）、判別データコードを水平ラインの水平ブランキング期間に挿入することにより、液晶駆動装置５３では、間引きラインを判別し、その判別に基づいて間引きの処理を行う。
【００７３】
上記した表示ラインの開始位置を判別する判別データコードと間引きラインの判別データコードを併用できるようにするために、表示ラインの開始位置を判別する判別データコードと間引きラインの判別データコードは、違うデータ値とする。そして、間引きの処理のための判別データコードは、画像処理装置５２にて映像信号に対して間引きライン前のラインの水平ブランキング期間に挿入されるようにする。
【００７４】
判別データコードが挿入された映像信号が液晶駆動装置５３に入力され、液晶駆動装置５３にて、挿入された判別データコードが認識されることにより、間引きラインを間引くタイミングでタイミング信号が液晶表示装置５４に出力される。
【００７５】
このことにより、液晶駆動装置５３は間引きラインの固定値を予め持つ必要がなくなり、また、間引きの設定を行わずに、間引きラインの処理を行うことが可能となる。すなわち、液晶駆動装置５３は、入力される映像信号の判別データコードを判別することで、間引きの処理を実行することが可能となる。
【００７６】
さらに具体例を挙げて説明する。画像処理装置５２に入力される映像信号がＰＡＬ方式に準拠した映像信号であり、画像処理装置５２がＰＡＬ方式に準拠した映像信号を処理できる設定にされている場合、画像処理装置５２は、入力された映像信号に対し、間引きのための画素配列の処理を信号処理部６１で行い、液晶駆動装置５３に出力する際に、判別データコード挿入部６２にて、間引きラインの１Ｈ前のラインのブランキング期間に判別データコードを挿入する。
【００７７】
液晶駆動装置５３は、映像信号に挿入された判別データコードを認識し、その認識に基づき、タイミング信号を液晶表示装置５４に出力し、特定のラインを間引いて２４０ラインや２２０ラインの液晶表示装置５４に映像を表示させる。
【００７８】
このように、判別データコードを映像信号のブランキング期間に挿入することで、以下のような効果を得ることができる。
【００７９】
液晶駆動装置５３に、奇数フィールドと偶数フィールドの表示開始ラインの組み合わせの設定を行う必要がなくなる。また、記録装置５１毎に異なる制御のパターン（設定）を考慮せずに、システムの開発を行うことができるようになり、開発効率を向上させることが可能となる。
【００８０】
表示開始ラインを固定にしないですむため、どのような開始位置に対しても対応することが可能となる。例えば、通常、映像としてユーザに提供されるのは、画像の中心部分（例えば、上記したように奇数フィールドで２３ライン目以降）であるが、画像の上側部分を提供することも可能となる（例えば、奇数フィールドで１ライン目から表示させるなどの処理を行うことが可能であるため、画像の上側部分を提供するといったことも可能となる）。換言すれば、ユーザに映像のどの部分を提供するかを選択できるようになり、自由度の高い映像の提供が可能となる。
【００８１】
このように、開発能力を向上させたり、自由度を高めたりすることが可能となる。
【００８２】
また、判別データコードを用いることにより、液晶駆動装置５３に間引きラインに関する設定を行う必要がなくなる。そのために画像処理装置５２と液晶駆動装置５３の組み合わせを考慮した開発を行わなくても良くなり、開発効率を向上させることが可能となる。また画像処理装置５２のみで間引き処理を行うため、液晶駆動装置５３に固定値を持たせなくてよくなり、固定値を持たせなくて良いため、間引くラインに関する自由度を高めることが可能となる。
【００８３】
間引くラインを決定する際、従来は固定値であったために、常に同じラインが間引かれていたが、上記したように、判別データコードを用いることで、間引くラインを選択できるようになるため、例えば、従来間引かれていたラインであっても、文字などが多く、細かな表示が多い部分は間引かないようにし、代わりに、間引いても画質にあまり影響がないような部分のラインを間引くようにするといったこともできるようになり、間引くラインの自由度を高めることが可能となる。
【００８４】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えばマイクロコンピュータ５５（図８）などに、プログラム格納媒体からインストールされる。
【００８５】
コンピュータにインストールされ、コンピュータによって実行可能な状態とされるプログラムを格納するプログラム格納媒体は、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリなどよりなるパッケージメディアであるリムーバブルメディア、または、プログラムが一時的もしくは永続的に格納されるＲＯＭやハードディスクなどにより構成される。プログラム格納媒体へのプログラムの格納は、必要に応じてルータ、モデムなどのインターフェースである通信部を介して、ローカルエリアネットワーク、インターネット、デジタル衛星放送といった、有線または無線の通信媒体を利用して行われる。
【００８６】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【００８７】
また、本明細書において、システムとは、複数の装置により構成される装置全体を表すものである。
【００８８】
なお、本発明の実施の形態は、上述した実施の形態に限定されるものではなく、本発明の要旨を逸脱しない範囲において種々の変更が可能である。
【図面の簡単な説明】
【００８９】
【図１】従来のシステムの一例の構成を示す図である。
【図２】水平のタイミングについて説明する図である。
【図３】ラインの組み合わせについて説明する図である。
【図４】ラインの組み合わせについて説明する図である。
【図５】モードについて説明する図である。
【図６】デルタ配列の液晶表示装置の画素の並びについて説明する図である。
【図７】ラインの間引きについて説明する図である。
【図８】本発明を適用したシステムの一実施の形態の構成を示す図である。
【図９】判別データコードの挿入箇所を説明する図である。
【符号の説明】
【００９０】
５１  記録装置，  ５２  画像処理装置，  ５３  液晶駆動装置，  ５４  液晶表示装置，  ５５  マイクロコンピュータ，  ６１  信号処理部，  ６２  判別データコード挿入部，  ６３  判別データコード判別部，  ６４  タイミング生成部
【図１】
2008076742.tif 000003
【図２】
2008076742.tif 000004
【図３】
2008076742.tif 000005
【図４】
2008076742.tif 000006
【図５】
2008076742.tif 000007
【図６】
2008076742.tif 000008
【図７】
2008076742.tif 000009
【図８】
2008076742.tif 000010
【図９】
2008076742.tif 000011